(57)【特許請求の範囲】
【請求項１】
非球面反射ミラーを利用して広角投影を可能にした投写型映像表示装置と、この投写型映像表示装置の投影面として使用される壁面を備えた壁体と、投写型映像表示装置を壁体の壁面に対し上下方向に移動可能に取り付けるための取付部材とを備え、
前記投写型映像表示装置は、前記取付部材により所望の高さ位置に取り付けられ、
投影面に投影される映像は、投写型映像表示装置から横方向に投影されるように構成されている投写型映像表示システムにおいて、
前記取付部材は、投影面と同一の壁面に一面が当接するように取り付けられる柱状のレール部材と、投写型映像表示装置をレール部材に取り付けるための固定部材とからなり、
投写型映像表示装置は、前記固定部材の平面部に当接するように取り付けられていることを特徴とする投写型映像表示システム。
【請求項２】
前記固定部材は、投写型映像表示装置を取り付けるための取付片部と、レール部材の外側から操作する固定具を備えた固定片部と、レール部材の長手方向に形成された内部空間部に摺動自在に収納される摺動部と、摺動部と前記取付片部とを連結する連結部と有し、
前記レール部材は、前記壁面に取り付けられる取付面部と、前記摺動部を摺動自在に収納する内部空間部と、取付面部の反対側の面部に形成された、前記連結部を貫通させるスリット部とを備えていることを特徴とする請求項１記載の投写型映像表示システム。
【請求項３】
前記固定部材の固定片部は、前記柱状のレール部材の側方に外側から重ねられように構成され、外側から操作する固定具により前記レール部材の任意の位置に固定されるように形成されていることを特徴とする請求項２記載の投写型映像表示システム。
【請求項４】
前記柱状のレール部材は、前記壁体における壁面において水平方向に移動可能に取り付けられていることを特徴とする請求項１〜３の何れか１項に記載の投写型映像表示システム。
【発明の詳細な説明】
【技術分野】
【０００１】
本発明は、コンピュータ等で作成された映像や、光ディスク、磁気テープ等の記録媒体に記録された映像を壁面に投影する投写型映像表示装置を利用した投写型映像表示システムに関する。
【背景技術】
【０００２】
このような投写型映像表示システムは、ホームシアター、会議室、研修室、教室、娯楽場、各種展示室、スタジオなど多方面の施設における映像表示装置システムとして利用されている。また、従来多く用いられている投写型映像表示システムは、投写型映像表示装置とスクリーン、壁体などの投影面との間にどうしても数メートルの投影距離を必要とするものが多く、その間に光を遮るものを置くことができないため、使用環境に制約を生じるという問題があった。そこで、このような不便を解消するため、近年投写型映像表示装置と投影面との間の投影距離を短くすることにより、融通性がきき設置性を高めた投写型映像表示システムが開発されている。その一例は、特許文献１に記載されたものであって、非球面反射ミラーを利用することにより投射距離を極めて短くするとともに投射角度の高い広角投影を可能にした投写型映像表示装置を利用した投影表示システムである。また、このような投写型映像表示システムでは、投写型映像表示装置から投影面までに長い投影距離を必要としないため、図６（ａ）及び（ｂ）に示すように壁面、スクリーンなどの投影面１０１の上部に投写型映像表示装置１０２を設置されることが多い。また、図７（ａ）及び（ｂ）に示すように投影面１０１の下部に投写型映像表示装置１０２が設置されることも多い。
【特許文献１】特開２００４−２５２０４９号公報
【発明の開示】
【発明が解決しようとする課題】
【０００３】
しかしながら、前者のようにスクリーンなどの投影面１０１の上部に投写型映像表示装置１０２を設置したものでは、設置された投写型映像表示装置１０２の直下でプレゼンター１０３が説明することになり、プレゼンター１０３が投写型映像表示装置落下の不安感を抱くという問題があった。また、投写型映像表示装置１０２の取付やメンテナンスには高所作業が必要となるため取扱が容易でないという問題があった。さらに、後者のようにスクリーンなどの投影面１０１の下部に投写型映像表示装置１０２を設置したものでは、プレゼンテーション時に投写型映像表示装置１０２が邪魔になるという問題があった。
【０００４】
本発明は、このような背景の下になされたものであって、投影面に対して横方向から投影可能に投写型映像表示装置を取り付けるようにした投写型映像表示システムを提供することを目的とする。
【課題を解決するための手段】
【０００５】
本発明に係る投写型映像表示システムは、非球面反射ミラーを利用して広角投影を可能にした投写型映像表示装置と、この投写型映像表示装置の投影面として使用される壁面を備えた壁体と、投写型映像表示装置を壁体の壁面に対し上下方向に移動可能に取り付けるための取付部材とを備え、前記投写型映像表示装置は、前記取付部材により所望の高さ位置に取り付けられ、投影面に投影される映像は、投写型映像表示装置から横方向に投影されるように構成されている投写型映像表示システムにおいて、前記取付部材は、投影面と同一の壁面に一面が当接するように取り付けられる柱状のレール部材と、投写型映像表示装置をレール部材に取り付けるための固定部材とからなり、投写型映像表示装置は、前記固定部材の平面部に当接するように取り付けられていることを特徴とする。
【０００６】
このように構成すると、投写型映像表示装置を任意の高さ位置に取り付けることができるので、プレゼンテーション時の邪魔にならない高さ位置に調整することができる。また、プレゼンターの上方に投写型映像表示装置が取り付けられないので、プレゼンターに投写型映像表示装置落下の不安感を与えないようにすることができる。さらには、投写型映像表示装置のメンテナンス時には、投写型映像表示装置を手元の高さ位置まで下ろして作業をすることもできる。
【０００７】
また、前記固定部材は、投写型映像表示装置を取り付けるための取付片部と、レール部材の外側から操作する固定具を備えた固定片部と、レール部材の長手方向に形成された内部空間部に摺動自在に収納される摺動部と、摺動部と前記取付片部とを連結する連結部と有し、前記レール部材は、前記壁面に取り付けられる取付面部と、前記摺動部を摺動自在に収納する内部空間部と、取付面部の反対側の面部に形成された、前記連結部を貫通させるスリット部とを備えていることが好ましい。
【０００８】
また、前記固定部材の固定片部は、前記柱状のレール部材の側方に外側から重ねられように構成され、外側から操作する固定具により前記レール部材の任意の位置に固定されるように形成されていることが好ましい。
【０００９】
また、前記柱状のレール部材は、前記壁体における壁面において水平方向に移動可能に取り付けられていることが好ましい。
【発明の効果】
【００１１】
本発明によれば、投写型映像表示装置を任意の高さ位置に取り付けることができるので、プレゼンテーション時の邪魔にならない高さ位置に調整することができる。また、プレゼンターの上方に投写型映像表示装置が取り付けられないので、プレゼンターに投写型映像表示装置落下の不安感を与えないようにすることができる。さらには、投写型映像表示装置のメンテナンス時には、投写型映像表示装置を手元の高さ位置まで下ろして作業をすることもできる。
【発明を実施するための最良の形態】
【００１２】
次に、本発明の実施の形態に係る投写型映像表示システムついて、図面に基づいて詳細に説明する。本実施の形態に係る投写型映像表示システムは、図１に示すように投影面１が形成されている壁面２を備えた壁体に対し、取付部材３が取り付けれ、この取付部材３によりプレゼンターなどにより選択された所望の高さ位置、例えばプレゼンター４の顔の横方向に投写型映像表示装置５が取り付けられるように形成されている。この投写型映像表示装置は、例えば、光変調素子に液晶パネルを用いた液晶プロジェクタであって、非球面反射ミラー５ａを利用することにより広角投影を可能にしたものである。そして、この投写型映像表示装置５からは、投写型映像表示装置５の横方向に設定されている投影面１に対し映像が投影されるように形成されている。
【００１３】
上記図１は、投影時の設置状態図であるが、図２は投写型映像表示装置をメンテナンスするときの設置状態図である。この図２に示すようにメンテナンス時には投写型映像表示装置５を手元の高さ位置に下ろし作業効率の改善を行えるようにしている。
【００１４】
次に、上記における取付部材の具体例について説明する。図３は本実施の形態に係る投写型映像表示システムにおける取付部材の外観斜視図であり、図４は図３におけるＡ−Ａ断面図であり、図５は図３におけるＢ−Ｂ断面図である。
【００１５】
本実施の形態における取付部材３は、図３に示すように、投影面と同一の壁面に対し、一面が当接するように取り付けられる柱状のレール部材１０と、投写型映像表示装置とレール部材１０との間に取り付けられる固定部材２０とからなっている。
【００１６】
レール部材１０は、図３及び図４に示すように、平面視外形形状は略四辺形に形成され、内部に固定部材２０の摺動部２３を摺動自在に収納する内部空間部１１が形成されている。内部空間部１１は、基本的には断面形状が円形の円柱状の空間部であるが、プレゼンター４から壁面２の方向に見て右側の外側面の中央部に対応する内壁面に、円弧状突出部１２が形成されている。このため、内部空間部１１は歪な円形断面となっている。また、上記外側面の中央部、すなわち、外側面における円弧状突出部１２に対応する位置には、略Ｖ字状の凹溝１３が長手方向に形成されている。この凹溝１３は、後述する固定部材２０の押付金具２６の山形状突部２６ａの傾斜面を押し付けるための傾斜面を備えたものであって、Ｖ字状の傾斜面に対して山形状の傾斜面を押し付けることにより、大きな摩擦力を得て、固定部材２０を任意の位置に強固に固定するものである。また、壁面２に接触する取付面部１４の反対側の面部１５には、内部空間部１１を外部に開放するスリット部１６が形成されている。このスリット部１６は、後述する固定部材２０における連結部２４を貫通させるためのものである。なお、このレール部材１０はアルミニウム又はアルミニウム系合金材料から成る押出型材により形成されている。
【００１７】
固定部材２０は、図４に示すように、平面視略Ｌ字形を成す取付片部２１と固定片部２２とを有するとともに、レール部材１０の内部空間部１１に摺動自在に収納される摺動部２３と、この摺動部２３を取付片部２１に連結する連結部２４とを有する。また、固定片部２２には、座付き蝶ねじ２５、押付金具２６などからなる固定具が取り付けられている。取付部材３を構成するレール部材１０の高さ方向の寸法は、投写型映像表示装置を取り付けたときに略同一の高さ寸法又はそれ以下となるように構成されている。
【００１８】
上記構成をさらに具体的に説明する。取付片部２１は、図４に示すように、厚肉の平板状に形成され、その長手方向の中央部に厚肉板状の連結部２４が平面部から突出するように形成されている。連結部２４は、前記スリット部１６を貫通するように取り付けられるものであって、その先端部に略円柱状の摺動部２３が形成されている。摺動部２３は、円形の断面を基本形状とする柱状の部材であるが、前述の歪な内部空間部１１の形状に一致するように円弧状の凹部２３ａが形成されている。また、取付片部２１の上部には、図４に示すように、投写型映像表示装置５を取付片部に取り付けるための２本の取付ボルト２７が取り付けられている。この取付ボルト２７は、投写型映像表示装置５の筐体側からナット２７ａを締め付けたときに回転しないように角形の凹部に取付ボルト２７の頭部が嵌め込まれたものであって、レール部材１０側から投写型映像表示装置５側に向けて差し込まれている。そして、この取付ボルト２７の先端部が投写型映像表示装置５の筺体のボルト孔（図示せず）に差し込まれ、投写型映像表示装置５の筺体内からナット２７ａが締結されることにより、取付片部２１に対し投写型映像表示装置５が固定されている。なお、このような固定は、取付片部２１の下方部においても同様に行われている。
【００１９】
固定片部２２は、図４に示すように、レール部材１０の側部を覆うように取り付けられるものであり、内部に押付金具２６を収納する空間部２２ａが設けられている。押付金具２６のレール部材１０側には山形状突部２６ａが形成されている。この山形状突部２６ａは、前述のように傾斜面をレール部材１０のＶ字状凹溝の傾斜面に押接することにより、固定部材２０をレール部材１０の任意の高さ位置に強固に固定可能とするものである。
【００２０】
また、この固定片部２２における水平方向及び高さ方向の中央部には座付き蝶ねじ２５を螺合するねじ部２２ｂ（図５参照）が形成され、座付き蝶ねじ２５が螺合されて取り付けられている。座付き蝶ねじ２５の中間位置には、図５に示すように、段部２５ａが設けられている。この段部２５ａは、座付き蝶ねじ２５が締め付けられときに押付金具２６をレール部材１０側に押圧するものである。また、押付金具２６の山形状突部２６ａは、座付き蝶ねじ２５が締め付けられる部分において平端部２６ｂに形成されている。また、この平端部２６ｂの中央部には座付き蝶ねじ２５の先端部の軸部２５ｂを貫通させる貫通孔２６ｃが形成されている。座付き蝶ねじ２５の軸部２５ｂは、この平端部２６ｂにおいて貫通孔２６ｃを介して押付金具２６を貫通し、貫通した軸部２５ｂに止め輪２５ｃが取り付けられている。これにより、押付金具２６の脱落が防止されている。
【００２１】
以上のように構成された取付片部２１、固定片部２２、摺動部２３及び連結部２４からなる固定部材２０は、アルミニウム又はアルミニウム系合金材料から成る押出型材により一体的に形成されている。
【００２２】
また、上記のように構成された取付部材３の取付及び投写型映像表示装置５の取付は次のようにして行われる。まず、投影面１を形成する壁面２にレール部材１０が取り付けられる。なお、このときの取付の具体的構造については図示省略するが、単純なねじ止めとしてもよく、あるいは、嵌合などの係合手段を併用することによりねじ止めを簡略化した適宜の方法などが採用される。
【００２３】
また、このようなレール部材１０に対し、レール部材１０を壁面２に取付た後、又は、壁面２に取り付ける前に固定部材２０をレール部材１０に対し取り付ける。
レール部材１０に対する固定部材２０の取付に際しては、先ず、固定部材２０の固定片部２２に固定具を取り付ける。すなわち、固定片部２２のねじ部２２ｂに座付き蝶ねじ２５を螺合し、その先端の軸部２５ｂを押付金具２６の貫通孔２６ｃに貫通させ、貫通した軸部２５ｂに止め輪２５ｃを付けることにより、固定具を構成する蝶ねじ２５及び押付金具２６などを固定片部２２に取り付ける。
【００２４】
次に、このような状態にした固定部材２０の摺動部２３がレール部材１０の内部空間部１１内を摺動するように、レール部材１０の一端から固定部材２０をスライド式に差し込む。なお、このとき、押付金具２６の山形状突部２６ａの斜面がレール部材１０の略Ｖ字状の凹溝１３に入るように差し込む。また、固定部材２０をスライド式に差し込む際に、取付片部２１には取付ボルト２７を取り付ける。そして、このようにして差し込んだ固定部材２０は、手元の高さ位置にスライドさせたときに座付き蝶ねじ２５を締め付ける。座付き蝶ねじ２５を締め付けると、山形状突部２６ａの傾斜面がレール部材１０のＶ字状傾斜面内に挟み込まれるように押し付けられるので、強固な摩擦力が生起されて、固定部材２０がレール部材１０に対し強固に固定される。そして、この位置において、取付片部２１の取付ボルト２７を利用して、投写型映像表示装置５の筐体を取付片部２１に取り付ける。
【００２５】
上記のようにして取付部材３に取り付けられた投写型映像表示装置５は、座付き蝶ねじ２５を緩めることにより、レール部材１０上をスライドさせながらプレゼンター４などが選択する所望の高さ位置に移動して固定することができる。なお、この場合において、内部空間部１１及び摺動部２３が歪な円形断面形状となっているため、投写型映像表示装置５を固定した固定部材２０が水平面内で回転することなく上下方向にスライドされる。これにより、投写型映像表示装置５を、向きが変更されることなく円滑に上下方向に移動させることができる。
【００２６】
本発明に係る実施の形態１は、以上のように構成されているので次のような作用効果を奏することができる。
（１）投写型映像表示装置５を任意の高さ位置に取り付けることができるので、プレゼンテーション時の邪魔にならない高さ位置に調整することができる。また、プレゼンター４の上方に投写型映像表示装置５が取り付けられないので、プレゼンター４に投写型映像表示装置落下の不安感を与えないようにすることができる。さらには、投写型映像表示装置５のメンテナンス時には、投写型映像表示装置５を手元の高さ位置まで下ろして作業することもできる。
【００２７】
（２）取付部材３は、壁面の投影面と同一の面に取り付けられる柱状のレール部材１０と、投写型映像表示装置５をレール部材１０に取り付けるための固定部材２０とからなり、投写型映像表示装置５は、固定部材２０の平面部（この場合は取付面部２１の平面部）に当接するように取り付けられている。したがって、壁面２と非球面反射ミラー５ａとの距離を常に一定にすることができるので、投影映像の調整が容易になる。
【００２８】
（３）また、固定部材２０は、摺動部２３がレール部材１０の内部空間部１１をスムーズに長手方向にスライドする構成とされているので、投写型映像表示装置５をスムーズに上下方向にスライド式に移動することができる。
【００２９】
（４）また、固定部材２０の固定片部２２は、柱状のレール部材１０の側方に外側から重なるように構成され、固定具を構成する座付き蝶ねじ２５を外側から締め付けることより、レール部材１０の任意の高さ位置に固定できるように形成されているので、投写型映像表示装置を容易に上下移動させることができる。
【００３０】
（変形例）
上記実施の形態において以下のように変更することもできる。
（１）前記実施の形態においては、レール部材１０は壁面２に固定されるものとして説明したが、このレール部材１０が水平方向のレール部材等により水平方向の任意の位置に移動可能に取り付けられるようにしてもよい。このように構成すれば、壁面２における投影面１の高さ方向の位置及び左右方向の位置を任意に選択することができる。したがって、プレゼンター４の好みに応じて投影面の位置をより自由に選択することができる。
【００３１】
（２）また、上記実施の形態においては、投写型映像表示装置５を固定する取付ボルト２７がレール部材１０側から投写型映像表示装置５の筐体側に向かって差し込まれる構造としていたが、取付片部２１にねじ孔を設け、投写型映像表示装置５の筐体側からこの取付片部２１のねじ孔に向かって取付ねじを螺合できるようにしてもよい。
【００３２】
（３）また、投写型映像表示装置５を固定部材２０に取り付けることが容易となるように、取付片部２１の下端部に投写型映像表示装置５を載置する載置台を固定部材２０と一体的に形成するようにしてもよい。例えば、取付片部２１の下端部から前方に突出する平面壁部を載置台として一体的に形成すればよい。
【００３３】
（４）前記実施の形態においては、固定部材２０をレール部材１０に取り付けてから投写型映像表示装置５を固定部材２０に取り付けるように組み付け作業しているが、固定部材２０に投写型映像表示装置５を固定した後、固定部材２０をレール部材１０に差し込むように組み付け作業してもよい。
【００３４】
（５）前記実施の形態においては、座付き蝶ねじ２５が１箇所にのみ設けられていたが、上下複数箇所に設けるようにしてもよい。このようにすれば、押付金具２６の山形状突部２６ａの傾斜面を略Ｖ字状の凹溝１３の傾斜面に対し平行に、つまり広い当たり面で押し付けることができるので、押付金具２６による固定性能が良好となる。
【００３５】
（６）また、上記各上記実施の形態においては、投写型映像表示装置５として光変調素子に液晶パネルを用いた液晶プロジェクタを示したが、これに限定されるものではなく、他の画像光生成系を備えた投写型プロジェクタとしてもよい。例えば、ＤＬＰ（Digital Light Processing）（テキサス・インスツルメンツ（ＴＩ社）の登録商標）方式のプロジェクタにおいても本発明を適用することができる。
【産業上の利用可能性】
【００３６】
本発明に係る投写型映像表示システムは、ホームシアター、会議室、研修室、教室、娯楽場、各種展示室、スタジオなど多方面の施設における映像表示システムとして利用することができる。
【図面の簡単な説明】
【００３７】
【図１】本発明の実施の形態に係る投写型映像表示システムの投影時の設置状態図であって（ａ）は平面図であり、（ｂ）は側面図である。
【図２】同投写型映像表示システムのメンテナンス時の設置状態図であって、（ａ）は平面図であり、（ｂ）は側面図である。
【図３】同投写型映像表示システムにおける取付部材の外観斜視図である。
【図４】図３におけるＡ−Ａ断面図である。
【図５】図３におけるＢ−Ｂ断面図である。
【図６】従来例に係る投写型映像表示システムの投影時の設置状態図であって、（ａ）は正面図であり、（ｂ）は側面図である。
【図７】他の従来例に係る投写型映像表示システムの投影時の設置状態図であって、（ａ）は正面図であり、（ｂ）は側面図である。
【符号の説明】
【００３８】
１…投影面、２…壁面、３…取付部材、４…プレゼンター、５…投写型映像表示装置、５ａ…非球面反射ミラー、１０…レール部材、１１…内部空間部、１４…取付面部、１５…（取付面部の反対側の）面部、１６…スリット部、２０…固定部材、２１…取付片部、２２…固定片部、２３…摺動部、２４…連結部。
【図１】
0005210664.tif 000002
【図２】
0005210664.tif 000003
【図３】
0005210664.tif 000004
【図４】
0005210664.tif 000005
【図５】
0005210664.tif 000006
【図６】
0005210664.tif 000007
【図７】
0005210664.tif 000008